(57)【特許請求の範囲】
【請求項１】
地上波放送局から送信される地上波放送信号を無線放送網を介して受信する放送受信部と、
前記放送受信部で受信した地上波放送信号を無線通信ネットワークを介してディスプレイ端末に無線でストリーミングする放送ストリーミング部と、
前記ディスプレイ端末から前記無線通信ネットワークを介して前記ディスプレイ端末の認証要請情報を受信し、前記ディスプレイ端末の認証が承認されると、前記ディスプレイ端末に前記無線通信ネットワークを介して認証承認情報を送信し、前記地上波放送信号を前記放送ストリーミング部を介して認証が承認された前記ディスプレイ端末に前記無線通信ネットワークを介して無線でストリーミングする制御部と、
を備え、
前記制御部は、一のディスプレイ端末の認証が承認されない場合には、前記一のディスプレイ端末の近傍に位置する認証承認情報を送信しなかった他のディスプレイ端末に、前記地上波放送信号を無線でストリーミングする、
地上波放送信号中継装置。
【請求項２】
前記放送受信部で受信した地上波放送信号を前記無線通信ネットワークを介して転送できるフォーマットに変換する放送変換部をさらに備え、
前記放送ストリーミング部は、前記放送変換部でフォーマットを変換した地上波放送信号を前記無線通信ネットワークを介して前記ディスプレイ端末に無線でストリーミングする、
請求項１に記載の地上波放送信号中継装置。
【請求項３】
前記無線通信ネットワークは、ＷｉＦｉネットワークを含む、
請求項２に記載の地上波放送信号中継装置。
【請求項４】
前記制御部は、認証が承認された前記ディスプレイ端末から前記無線通信ネットワークを介してチャネル受信要請情報を受信し、該チャネル受信要請情報に基づいて受信した地上波放送信号を前記放送ストリーミング部を介して前記ディスプレイ端末に前記無線通信ネットワークを介して無線でストリーミングする、
請求項１に記載の地上波放送信号中継装置。
【請求項５】
前記ディスプレイ端末は複数のパーソナルディスプレイ端末を含み、
前記放送ストリーミング部は、前記無線通信ネットワークを介して、前記放送受信部で受信した地上波放送信号を前記複数のパーソナルディスプレイ端末のそれぞれに無線でストリーミングする、
請求項１乃至４の何れか１項に記載の地上波放送信号中継装置。
【請求項６】
前記制御部は、一のディスプレイ端末の認証が承認されない場合には、前記一のディスプレイ端末の近傍に位置する認証承認情報を送信しなかった他のディスプレイ端末に、前記一のディスプレイ端末に送信する場合のフォーマットとは異なるフォーマットで前記地上波放送信号を無線でストリーミングする、
請求項１に記載の地上波放送信号中継装置。
【請求項７】
地上波放送局から送信される地上波放送信号を無線放送網を介して受信する過程と、
受信した地上波放送信号を無線通信ネットワークを介してディスプレイ端末に無線でストリーミングする過程と、
前記ディスプレイ端末から前記無線通信ネットワークを介して前記ディスプレイ端末の認証要請情報を受信する過程と、
前記ディスプレイ端末の認証が承認されると、前記ディスプレイ端末に前記無線通信ネットワークを介して認証承認情報を送信する過程と、
を備え、
前記ストリーミングする過程は、
認証が承認された前記ディスプレイ端末に前記地上波放送信号を無線でストリーミングする過程と、
一のディスプレイ端末の認証が承認されない場合には、前記一のディスプレイ端末の近傍に位置する認証承認情報を送信しなかった他のディスプレイ端末に、前記地上波放送信号を無線でストリーミングする過程と、を含む、
地上波放送信号中継方法。
【請求項８】
受信した前記地上波放送信号を前記無線通信ネットワークを介して転送できるフォーマットに変換する過程をさらに備え、
前記ストリーミングする過程は、前記無線通信ネットワークを介して転送できるフォーマットに変換された地上波放送信号を前記無線通信ネットワークを介して前記ディスプレイ端末に無線でストリーミングする過程を含む、
請求項７に記載の地上波放送信号中継方法。
【請求項９】
前記無線通信ネットワークは、ＷｉＦｉネットワークを含む、
請求項８に記載の地上波放送信号中継方法。
【請求項１０】
認証が承認された前記ディスプレイ端末から前記無線通信ネットワークを介してチャネル受信要請情報を受信する過程をさらに備え、
前記ストリーミングする過程は、前記チャネル受信要請情報に基づいて受信した地上波放送信号を前記ディスプレイ端末に前記無線通信ネットワークを介して無線でストリーミングする過程を含む、
請求項７に記載の地上波放送信号中継方法。
【請求項１１】
前記ディスプレイ端末は複数のパーソナルディスプレイ端末を含み、
前記ストリーミングする過程は、前記無線通信ネットワークを介して、受信した前記地上波放送信号を前記複数のパーソナルディスプレイ端末のそれぞれに無線でストリーミングする過程を含む、
請求項７乃至１０の何れか１項に記載の地上波放送信号中継方法。
【発明の詳細な説明】
【技術分野】
【０００１】
本発明は、地上波放送信号中継装置及び方法に関する。
【０００２】
より詳しくは、地上波放送局から送信される地上波放送信号を受信し、ディスプレイ端末に無線でストリーミングする装置及び方法に関する。
【背景技術】
【０００３】
家庭内に設けられ、アンテナを有し、地上波放送局から無線（放送）で送信される地上波放送信号を受信する従来の放送受信機は、通常、有線ケーブルを介してＴＶなどのディスプレイ端末と接続される。そのために、家庭内でディスプレイ端末の設置場所が決まると、有線ケーブルの長さの制約により、放送受信機を設置できる領域に制限が出てくる。
【０００４】
国際公開第２０１１／１３６５８１号には、コンテンツプロバイダーのサーバ等からコンテンツサービスを受信して、各家庭のネットワークを介してディスプレイ装置に表示させるシステムが開示されている。
【先行技術文献】
【特許文献】
【０００５】
【特許文献１】国際公開第２０１１／１３６５８１号
【発明の概要】
【発明が解決しようとする課題】
【０００６】
上述した有線ケーブルでディスプレイ端末に接続された放送受信機においては、地上波放送信号受信により良い位置が存在しても、有線ケーブルの長さの制約からディスプレイ端末と放送受信機とを有線ケーブルで接続できない位置の場合には、放送受信機は、ディスプレイ端末の設置場所を変更しない限り、有線ケーブルが届く領域内に設けるしかない。そのために、放送受信感度が相対的に低くなり、ユーザーに高品質の放送を提供できなくなる場合がある。
【０００７】
図１は、従来の放送受信機の設置領域の一例を示す模式図である。
図１を参照すると、従来の放送受信機（１０）は、有線ケーブル（ＣＢ）を介してＴＶなどのディスプレイ端末（２０）と接続される。そのために、家庭内でディスプレイ端末（２０）の設置場所が決まると、放送受信機（１０）は、有線ケーブル（ＣＢ）の長さの制約により、放送受信機（１０）を設置できる場所が設置可能領域（ＩＲ）内に制限される。従って、地上波放送信号の受信に最適な位置が設置可能領域（ＩＲ）外にある場合は、放送受信機（１０）は、ディスプレイ端末（２０）の設置場所を変更しない限り、地上波放送信号の受信に最適な位置に設けることができなくなり、相対的に受信感度が低い場所に設置することになる。
【０００８】
さらに、従来の放送受信機（１０）は、有線ケーブル（ＣＢ）を介してディスプレイ端末（２０）と１対１で接続されるので、放送受信機（１０）で受信した地上波放送信号は、一台のディスプレイ端末（２０）のみに提供される。このような問題を解決するため、信号分配用のジャックなどを用いて放送受信機（１０）が複数のパーソナルディスプレイ端末（２０）に地上波放送信号を送信する方法も用いられているが、この場合は、別途の装置（例えば、信号分配機など）を設ける必要があり、これによって別途の施工過程が必要となる問題がある。
【０００９】
一方で、特許文献１に記載の技術の場合には、サーバからコンテンツサービスを受信する構成であるため、地上波放送局が実時間で放送する地上波放送信号をディスプレイ端末に表示させるのには、適していない。
【００１０】
本発明が解決しようとする一つの技術的課題は、地上波放送局から送信される地上波放送信号の放送受信環境を改善できる地上波放送信号中継装置及び方法を提供することにある。
【課題を解決するための手段】
【００１１】
本発明の実施例においては、地上波放送局から送信される地上波放送信号を無線放送網を介して受信する放送受信部と、前記放送受信部で受信した地上波放送信号を無線通信ネットワークを介してディスプレイ端末に無線でストリーミングする放送ストリーミング部と、を備える、地上波放送信号中継装置を提供する。
【００１２】
本発明の実施例において、地上波放送信号中継装置は、放送受信部で受信した地上波放送信号を無線通信ネットワークを介して転送できるフォーマットに変換する放送変換部をさらに備え、放送ストリーミング部は、放送変換部でフォーマットを変換した地上波放送信号を無線通信ネットワークを介してディスプレイ端末に無線でストリーミングする。
【００１３】
本発明の実施例において、無線通信ネットワークは、ＷｉＦｉネットワークを含む。
【００１４】
本発明の実施例において、地上波放送信号中継装置は、ディスプレイ端末から無線通信ネットワークを介してディスプレイ端末の認証要請情報を受信し、ディスプレイ端末の認証が承認されると、ディスプレイ端末に無線通信ネットワークを介して認証承認情報を送信し、地上波放送信号を放送ストリーミング部を介して認証が承認されたディスプレイ端末に無線通信ネットワークを介して無線でストリーミングする制御部をさらに備える。
【００１５】
本発明の実施例において、制御部は、認証が承認されたディスプレイ端末から無線通信ネットワークを介してチャネル受信要請情報を受信し、該チャネル受信要請情報に基づいて受信した地上波放送信号を放送ストリーミング部を介してディスプレイ端末に無線通信ネットワークを介して無線でストリーミングする。
【００１６】
本発明の実施例において、ディスプレイ端末は複数のパーソナルディスプレイ端末を含み、放送ストリーミング部は、無線通信ネットワークを介して、放送受信部で受信した地上波放送信号を複数のパーソナルディスプレイ端末のそれぞれに無線でストリーミングする。
【００１７】
本発明の実施例においては、地上波放送局から送信される地上波放送信号を無線放送網を介して受信する過程と、受信した地上波放送信号を無線通信ネットワークを介してディスプレイ端末に無線でストリーミングする過程と、を備える、地上波放送信号中継方法を提供する。
【００１８】
本発明の実施例においては、地上波放送信号中継方法は、受信した地上波放送信号を無線通信ネットワークを介して転送できるフォーマットに変換する過程をさらに備え、ストリーミングする過程は、無線通信ネットワークを介して転送できるフォーマットに変換された地上波放送信号を無線通信ネットワークを介してディスプレイ端末に無線でストリーミングする過程を含む。
【００１９】
本発明の実施例において、無線通信ネットワークは、ＷｉＦｉネットワークを含む。
【００２０】
本発明の実施例において、地上波放送信号中継方法は、ディスプレイ端末から無線通信ネットワークを介してディスプレイ端末の認証要請情報を受信する過程と、ディスプレイ端末の認証が承認されると、ディスプレイ端末に無線通信ネットワークを介して認証承認情報を送信する過程と、をさらに備え、ストリーミングする過程は、認証が承認されたディスプレイ端末に地上波放送信号を無線通信ネットワークを介して無線でストリーミングする過程を含む。
【００２１】
本発明の実施例において、地上波放送信号中継方法は、認証が承認されたディスプレイ端末から無線通信ネットワークを介してチャネル受信要請情報を受信する過程をさらに備え、ストリーミングする過程は、チャネル受信要請情報に基づいて受信した地上波放送信号をディスプレイ端末に無線通信ネットワークを介して無線でストリーミングする過程を含む。
【００２２】
本発明の実施例において、ディスプレイ端末は複数のパーソナルディスプレイ端末を含み、ストリーミングする過程は、無線通信ネットワークを介して、受信した地上波放送信号を複数のパーソナルディスプレイ端末のそれぞれに無線でストリーミングする過程を含む。
【発明の効果】
【００２３】
本発明の実施例によれば、地上波放送局から無線放送網を介して受信した地上波放送信号を、有線ケーブルではなく、無線でディスプレイ端末にストリーミングするので、放送受信感度のよい最適な場所に地上波放送信号中継装置を設けることができる。従って、放送受信環境を改善できるという効果を奏する。
【図面の簡単な説明】
【００２４】
【図１】従来の放送受信機の設置領域の一例を示す模式図である。
【図２】本発明の実施例に係る地上波放送信号中継装置の動作を説明するための模式図である。
【図３】図２に示した地上波放送信号中継装置の機能ブロック図である。
【図４】本発明の実施例に係る地上波放送信号中継装置の地上波放送信号中継動作の一例を説明するための模式図である。
【図５】本発明の実施例に係る地上波放送信号中継方法の一例を説明するための模式図である。
【図６】本発明の実施例に係る地上波放送信号中継方法の他の例を説明するための模式図である。
【図７】本発明の実施例に係る地上波放送信号中継方法のさらに別の例を説明するための模式図である。
【発明を実施するための形態】
【００２５】
以下では、添付の図面を参照して、本発明の実施例に係る地上波放送信号中継装置及び方法について詳しく説明する。
【００２６】
まず、図２を参照し、本発明の実施例に係る地上波放送信号中継装置について説明する。
【００２７】
図２は、本発明の実施例に係る地上波放送信号中継装置（１００）の動作を説明するための模式図である。
【００２８】
図２を参照すると、本発明の実施例に係る地上波放送信号中継装置（１００）は、家庭内に位置する複数のパーソナルディスプレイ端末（２００−１乃至２００−ｎ）と無線通信ネットワーク（４００）を介して接続される。
【００２９】
地上波放送信号中継装置（１００）は、地上波放送局（３００）とディスプレイ端末（２００）の間で地上波放送信号を中継する。即ち、地上波放送信号中継装置（１００）は、地上波放送局（３００）から送信される地上波放送信号を地上波放送網（５００）を介して受信する。そして、地上波放送信号中継装置（１００）は、地上波放送局（３００）から受信した地上波放送信号を無線通信ネットワーク（４００）を介してディスプレイ端末（２００）に無線でストリーミングする。このとき、地上波放送信号中継装置（１００）は、地上波放送信号を複数のパーソナルディスプレイ端末（２００−１乃至２００−ｎ）に無線でストリーミングすることができる。
【００３０】
ディスプレイ端末（２００）は、地上波放送信号中継装置（１００）からストリーミングされる地上波放送信号を無線通信ネットワーク（４００）を介して受信し、受信した地上波放送信号を表示（画面出力）する。ディスプレイ端末（２００）は、ＴＶのみならず、デスクトップコンピューター、ノート型のコンピューター、ワークステーション、パムトップ（Ｐａｌｍｔｏｐ）コンピューター、ＵＭＰＣ（Ｕｌｔｒａ  Ｍｏｂｉｌｅ，  Ｐｅｒｓｏｎａｌ  Ｃｏｍｐｕｔｅｒ）、タブレット、個人用携帯情報端末機（Ｐｅｒｓｏｎａｌ  Ｄｉｇｉｔａｌ  Ａｓｓｉｓｔａｎｔ：ＰＤＡ）、ウェブパッド、スマートフォン、携帯電話などのようにメモリ手段を備えてマイクロプロセッサを搭載し、演算能力を備えた端末で構成される。
【００３１】
地上波放送局（３００）は、地上波ライブＴＶを実時間で放送する。即ち、地上波放送局（３００）は、ドラマ、ニュース、映画などの様々な地上波ライブＴＶプログラムを無線地上波放送信号に変換し、地上波放送網（５００）を介して送信する。このとき、地上波放送局（３００）は、放送用衛星（不図示）を介して地上波放送信号を送信することもできる。
【００３２】
無線通信ネットワーク（４００）は、各種のデータを送受信する通信ネットワークをいう。無線通信ネットワーク（４００）には、ＷｉＦｉネットワークなどがある。なお、無線通信ネットワーク（４００）は、ＮＦＣ（Ｎｅａｒ  Ｆｉｅｌｄ  Ｃｏｍｍｕｎｉｃａｔｉｏｎ）やＢｌｕｅｔｏｏｔｈ（登録商標）等の近距離無線通信ネットワークを含んでもよい。
【００３３】
地上波放送網（５００）は、地上波放送局（３００）から送信される地上波放送信号を伝達する放送網をいう。
【００３４】
このように、地上波放送信号中継装置（１００）は、地上波放送局（３００）から無線で受信した地上波放送信号を、有線ケーブルではなく、無線でディスプレイ端末（２００）にストリーミングするので、放送受信感度の良い最適な場所に地上波放送信号中継装置（１００）を設けることができる。従って、放送受信環境を改善することができる。
【００３５】
さらに、地上波放送信号を複数のパーソナルディスプレイ端末（２００−１乃至２００−ｎ）に無線でストリーミングすることで、地上波放送信号中継装置（１００）の効率を高めることができる。
【００３６】
図３は、図２に示した地上波放送信号中継装置（１００）の機能ブロック図である。
【００３７】
図３を参照すると、地上波放送信号中継装置（１００）は、放送受信部（１１０）、放送変換部（１３０）、放送ストリーミング部（１５０）、及び制御部（１７０）を備える。
【００３８】
放送受信部（１１０）は、地上波放送局（３００）から送信される地上波放送信号を地上波放送網（５００）を介して受信する。
【００３９】
放送変換部（１３０）は、放送受信部（１１０）で受信した地上波放送信号を無線通信ネットワーク（４００）を介してディスプレイ端末（２００）に提供できるように地上波放送信号のフォーマットを変換する。即ち、放送変換部（１３０）は、地上波放送網（５００）で用いるためのフォーマットの地上波放送信号を無線通信ネットワーク（４００）で用いるためのフォーマットに変換する。例えば、無線通信ネットワーク（４００）がＷｉＦｉネットワークの場合、放送変換部（１３０）は、放送受信部（１１０）で受信した地上波放送信号をＷｉＦｉネットワークを介して転送できるフォーマットに変換する。
【００４０】
放送ストリーミング部（１５０）は、放送受信部（１１０）で受信し、放送変換部（１３０）でフォーマットを変換した地上波放送信号を無線通信ネットワーク（４００）を介してディスプレイ端末（２００）に無線でストリーミングする。すると、ディスプレイ端末（２００）は、受信した地上波放送信号を画面出力する。
【００４１】
このとき、放送ストリーミング部（１５０）は、放送受信部（１１０）で受信し、放送変換部（１３０）でフォーマットを変換した地上波放送信号を無線通信ネットワーク（４００）を介して複数のパーソナルディスプレイ端末（２００−１乃至２００−ｎ）のそれぞれに無線でストリーミングすることができる。
【００４２】
なお、放送ストリーミング部（１５０）は、フォーマットを変換した地上波放送信号をストリーミングする際に、変換前の地上波放送信号のフォーマットに関するフォーマット情報もディスプレイ端末にそれぞれ送信してもよい。例えば、放送ストリーミング部（１５０）は、フォーマット情報を送信した後に、フォーマット情報が示すフォーマットの地上波放送信号をストリーミングしてもよい。ディスプレイ端末は、他の処理を実行中にフォーマット情報を受信すると、他の処理を中断して、フォーマット情報が示すフォーマットに基づいて、ストリーミングされてくる処理負荷の大きい地上波放送信号の画面出力を行う。
【００４３】
また、放送ストリーミング部（１５０）は、放送受信部（１１０）の地上波放送信号の受信状況に応じて、ストリーミング速度を調整してもよい。また、放送ストリーミング部（１５０）は、地上波放送信号の画面出力を行うディスプレイ端末の台数に応じて、ストリーミング速度又は画質を調整してもよい。例えば、放送ストリーミング部（１５０）は、ディスプレイ端末の台数が多い場合、ストリーミング速度又は画質を低下させる。
【００４４】
制御部（１７０）は、地上波放送信号中継装置（１００）の全般的な動作を制御する。即ち、制御部（１７０）は、放送受信部（１１０）、放送変換部（１３０）、及び放送ストリーミング部（１５０）の動作を制御し、地上波放送局（３００）から送信される地上波放送信号をディスプレイ端末（２００）に伝達する。
【００４５】
このとき、制御部（１７０）は、ディスプレイ端末（２００）の認証が承認された場合に、地上波放送信号を該当するディスプレイ端末（２００）にストリーミングすることができる。
【００４６】
即ち、制御部（１７０）は、ディスプレイ端末（２００）から無線通信ネットワーク（４００）を介して認証要請情報を受信する。ここで、認証要請情報はディスプレイ端末（２００）を識別できる情報などを含む。
【００４７】
そして、制御部（１７０）は、該当するディスプレイ端末（２００）を認証する。例えば、認証要請情報を送信したディスプレイ端末（２００）が既に登録されている端末であれば、制御部（１７０）は、当該ディスプレイ端末（２００）の認証を承認する。一方、認証要請情報を送信したディスプレイ端末（２００）が登録されてない場合は、制御部（１７０）は、当該ディスプレイ端末（２００）の認証を拒否することができる。
【００４８】
当該ディスプレイ端末（２００）の認証が承認されると、制御部（１７０）は、当該ディスプレイ端末（２００）に無線通信ネットワーク（４００）を介して認証承認情報を送信する。
【００４９】
その後、制御部（１７０）は、放送受信部（１１０）で受信し、放送変換部（１３０）でフォーマットを変換した地上波放送信号を、認証が承認されたディスプレイ端末（２００）に、放送ストリーミング部（１５０）を介して無線でストリーミングする。
【００５０】
さらに、制御部（１７０）は、認証が承認されたディスプレイ端末（２００）が要請したチャネルの地上波放送信号を当該ディスプレイ端末（２００）にストリーミングすることができる。
【００５１】
即ち、制御部（１７０）は、無線通信ネットワーク（４００）を介して、認証が承認されたディスプレイ端末（２００）からチャネル受信要請情報を受信する。ここで、チャネル受信要請情報は、ディスプレイ端末（２００）を識別できる情報、受信を希望する放送チャネルを識別できる情報などを含む。
【００５２】
その後、制御部（１７０）は、放送受信部（１１０）が、ディスプレイ端末（２００）から要請した放送チャネルを識別できる情報に基づいて地上波放送信号を受信するように制御する。制御部（１７０）は、受信した地上波放送信号を放送ストリーミング部（１５０）を介して該当するディスプレイ端末（２００）に無線でストリーミングする。
【００５３】
図４は、本発明の実施例に係る地上波放送信号中継装置（１００）の地上波放送信号中継動作の一例を説明するための模式図である。
【００５４】
図４を参照すると、家庭（ＨＭ）内で放送受信感度が良い最適な場所に地上波放送信号中継装置（１００）が設けられ、家庭（ＨＭ）内にＴＶ（２００−１）、タブレット（２００−２）、及びスマートフォン（２００−３）が位置している。
【００５５】
地上波放送信号中継装置（１００）は、ディスプレイ端末（２００）であるＴＶ（２００−１）、タブレット（２００−２）、及びスマートフォン（２００−３）と、有線ケーブルではなく、無線通信ネットワーク（４００）を介して接続される。従って、地上波放送信号中継装置（１００）は、ディスプレイ端末（２００）との距離制約なしに地上波放送局（３００）から受信した地上波放送信号をディスプレイ端末（２００）に提供することができる。
【００５６】
図５乃至７を参照し、本発明の実施例に係る地上波放送信号中継方法について説明する。
【００５７】
図５は、本発明の実施例に係る地上波放送信号中継方法の一例を説明するための模式図である。
【００５８】
図５を参照すると、地上波放送局（３００）は、地上波放送網（５００）を介して地上波放送信号を送信する（Ｓ１１０）。
【００５９】
その後、地上波放送信号中継装置（１００）は、地上波放送網（５００）を介して、地上波放送局（３００）から送信される地上波放送信号を受信する（Ｓ１２０）。そして、地上波放送信号中継装置（１００）は、受信した地上波放送信号を無線通信ネットワーク（４００）を介してディスプレイ端末（２００）に提供できるように地上波放送信号のフォーマットを変換する（Ｓ１３０）。即ち、地上波放送信号中継装置（１００）は、地上波放送網（５００）で用いるためのフォーマットの地上波放送信号を地上波放送網（５００）で用いるためのフォーマットに変換する。例えば、無線通信ネットワーク（４００）がＷｉＦｉネットワークである場合、地上波放送信号中継装置（１００）は、受信した地上波放送信号をＷｉＦｉネットワークを介して転送できるフォーマットに変換する。
【００６０】
その後、地上波放送信号中継装置（１００）は、無線通信ネットワーク（４００）を介して、ディスプレイ端末（２００）に地上波放送信号を無線でストリーミングする（Ｓ１４０）。このとき、地上波放送信号中継装置（１００）は、無線通信ネットワーク（４００）を介して、複数のパーソナルディスプレイ端末（２００−１乃至２００−ｎ）のそれぞれに地上波放送信号を無線でストリーミングすることができる。
【００６１】
その後、ディスプレイ端末（２００）は、受信した地上波放送信号を画面出力する（Ｓ１５０）。
【００６２】
このように、地上波放送信号中継装置（１００）は、地上波放送局（３００）から無線で受信した地上波放送信号を、有線ケーブルではなく、ディスプレイ端末（２００）に無線でストリーミングする。従って、放送受信感度の良い最適な場所に地上波放送信号中継装置（１００）を設けることができ、放送受信環境を改善することができる。
【００６３】
また、地上波放送信号を複数のパーソナルディスプレイ端末（２００−１乃至２００−ｎ）のそれぞれに無線でストリーミングすることで、地上波放送信号中継装置（１００）の効率を高めることができる。
【００６４】
図６は、本発明の実施例に係る地上波放送信号中継方法の他の例を説明するための模式図である。
【００６５】
図６を参照すると、地上波放送局（３００）は、地上波放送網（５００）を介して地上波放送信号を送信する（Ｓ２１０）。
【００６６】
その後、ディスプレイ端末（２００）は、ディスプレイ端末（２００）に対する認証要請情報を無線通信ネットワーク（４００）を介して地上波放送信号中継装置（１００）に送信する（Ｓ２２０）。地上波放送信号中継装置（１００）は、認証要請情報を受信し、これに基づいて当該ディスプレイ端末（２００）を認証する（Ｓ２３０）。
【００６７】
当該ディスプレイ端末（２００）の認証が承認されると、地上波放送信号中継装置（１００）は、無線通信ネットワーク（４００）を介して、ディスプレイ端末（２００）認証承認情報を送信する（Ｓ２４０）。
【００６８】
その後、地上波放送信号中継装置（１００）は、認証が承認されたディスプレイ端末（２００）に無線通信ネットワーク（４００）を介して地上波放送信号を無線でストリーミングする（Ｓ２５０）。すると、ディスプレイ端末（２００）は、受信した地上波放送信号を画面出力する（Ｓ２６０）。ここで、地上波放送信号を受信してフォーマットを変換する過程は省略しているが、図５と同様である。
【００６９】
なお、地上波放送信号中継装置（１００）は、ディスプレイ端末（２００）の認証が承認されない場合には、当該ディスプレイ端末（２００）以外のディスプレイ端末（例えば、認証が承認されなかったディスプレイ端末の近傍に位置する、認証要請情報を地上波放送信号中継装置（１００）に送信しなかったディスプレイ端末）に、地上波放送信号をストリーミングしてもよい。この場合、地上波放送信号中継装置（１００）は、認証が承認されたディスプレイ端末（２００）に送信する場合のフォーマットと異なるフォーマットで、ディスプレイ端末（２００）以外のディスプレイ端末に地上波放送信号をストリーミングしてもよい。例えば、地上波放送信号中継装置（１００）は、認証が承認されたディスプレイ端末（２００）にストリーミングする場合よりも画質が劣るフォーマットの地上波放送信号を、ディスプレイ端末（２００）以外のディスプレイ端末にストリーミングする。また、地上波放送信号中継装置（１００）は、ディスプレイ端末（２００）の認証が承認されない場合に、認証が承認されなかった時刻に関連付けられた他のディスプレイ端末を選択して、選択したディスプレイ端末に地上波放送信号をストリーミングしてもよい。
【００７０】
図７は、本発明の実施例に係る地上波放送信号中継方法のさらに別の例を説明するための模式図である。
【００７１】
図７を参照すると、ディスプレイ端末（２００）は、無線通信ネットワーク（４００）を介して、地上波放送信号中継装置（１００）に認証要請情報を送信する（Ｓ３１０）。地上波放送信号中継装置（１００）は、受信した認証要請情報に基づいて当該ディスプレイ端末（２００）を認証する（Ｓ３２０）。
【００７２】
ディスプレイ端末（２００）の認証が承認されると、地上波放送信号中継装置（１００）は、無線通信ネットワーク（４００）を介して、当該ディスプレイ端末（２００）に認証承認情報を送信する（Ｓ３３０）。
【００７３】
その後、認証が承認されたディスプレイ端末（２００）は、無線通信ネットワーク（４００）を介して、チャネル受信要請情報を地上波放送信号中継装置（１００）に送信する（Ｓ３４０）。
【００７４】
地上波放送局（３００）は、地上波放送網（５００）を介して地上波放送信号を送信する（Ｓ３５０）。地上波放送信号中継装置（１００）は、チャネル受信要請情報に基づいて地上波放送信号を受信する。その後、地上波放送信号中継装置（１００）は、無線通信ネットワーク（４００）を介して、ディスプレイ端末（２００）に地上波放送信号を無線でストリーミングする（Ｓ３６０）。すると、ディスプレイ端末（２００）は、地上波放送信号を受信し、受信した地上波放送信号を画面出力する（Ｓ３７０）。ここで、地上波放送信号を受信してフォーマットを変換する過程は省略しているが、図５と同様である。
【００７５】
本発明は、コンピューターで読み取り可能な記録媒体にコンピューターで読み取り可能なコードとして具現することができる。コンピューターで読み取り可能な記録媒体は、データを格納するすべての種類の記録装置を含む。コンピューターで読み取り可能な記録媒体の例として、ＲＯＭ、ＲＡＭ、ＣＤ−ＲＯＭ、磁気テープ、フロッピディスク、光データ格納装置などを挙げることができる。さらに、キャリアウェーブ（インターネットを介しての転送）の形態で具現されるものも含む。コンピューターで読み取り可能な記録媒体は、有無線通信ネットワークで接続されたコンピューター装置に分散し、分散方式でコンピューターで読み取り可能なコードが格納し、そして実行することができる。
【００７６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００７７】
１００：地上波放送信号中継装置
１１０：放送受信部
１３０：放送変換部
１５０：放送ストリーミング部
１７０：制御部
２００：ディスプレイ端末
３００：地上波放送局
４００：無線通信ネットワーク
５００：無線放送網
【要約】      （修正有）【課題】地上波放送局から無線放送網を介して受信した地上波放送信号を無線通信ネットワークを介してディスプレイ端末に無線でストリーミングする地上波放送信号中継装置及び方法を提供する。【解決手段】地上波放送信号中継装置１００は、地上波放送局３００から送信される地上波放送信号を無線放送網を介して受信Ｓ１２０し、受信した地上波放送信号を変換Ｓ１３０する。変換した放送信号を無線通信ネットワークを介して、ディスプレイ端末２００に無線でストリーミングＳ１４０する。【選択図】図５【図１】
0005866046.tif 000002
【図２】
0005866046.tif 000003
【図３】
0005866046.tif 000004
【図４】
0005866046.tif 000005
【図５】
0005866046.tif 000006
【図６】
0005866046.tif 000007
【図７】
0005866046.tif 000008